(57)【特許請求の範囲】
【請求項１】
本体と、前記本体の上方に配設された被加熱調理器具を載置する天板と、前記天板の下方に設けられた少なくとも１つ以上の誘導加熱コイルと、前記誘導加熱コイルに高周波電力を供給する電源回路と、前記誘導加熱コイル及び前記電源回路等を冷却する冷却ファンとを備え、前記冷却ファンからの冷却風を取り入れる導入口と前記本体外へ排出する排気口へ導くための導出口を有する略扁平箱形状のダクトを備え、前記ダクトの上面に開口部を形成して、前記誘導加熱コイルを嵌着して前記開口部を略閉塞してなる誘導加熱調理器。
【請求項２】
ダクトの冷却風の導入口に専用の送風手段を配設してなる請求項１記載の誘導加熱調理器。
【請求項３】
誘導加熱コイルを保持するコイルケースで、ダクトの上面の一部を形成してなる請求項１記載の誘導加熱調理器。
【請求項４】
ダクトの冷却風の導入口から導出口に至る経路の途中に中間開口部を形成して冷却風を分岐して、冷却風を電源回路等の要冷却部分に送風する請求項１記載の誘導加熱調理器。
【請求項５】
ダクト内に、冷却ファンからの送風を、動作している誘導加熱コイル側へ優先的に誘導する可動式の風向板を設けた請求項１記載の誘導加熱調理器。
【発明の詳細な説明】
【０００１】
【発明の属する技術分野】
本発明は、一般家庭の台所や業務用の厨房等で使用される、据え置き型或いはキッチンカウンターへの組込型の誘導加熱調理器に関するものである。
【０００２】
【従来の技術】
従来この種の誘導加熱調理器の概略構成は、例えば据え置き型のものであれば、図８に示すように、キッチンにあるキャビネット１の上に載置されて使用するものである。２は加熱調理器の外殻を形成する本体で、その上面には被加熱調理器具の鍋などを載置する耐熱ガラスなどからなる天板３が設けられており、天板３の下方には誘導加熱コイル４が近接して設けられている。５は誘導加熱コイル４を収納し、本体１内の所定の位置に保持するためのコイルケースである。６は誘導加熱コイル４に高周波電力を供給する電源回路で、７は誘導加熱コイル４及び電源回路６を冷却するための冷却ファンである。８は、操作により前記誘導加熱コイル４への電力の断続などの、機器の運転を制御するための制御回路を収納する操作部である。
【０００３】
【発明が解決しようとする課題】
しかしながら、このような従来の構成では、冷却ファン７からの冷却風の流れは本体２内の構成部品の配置や形状に影響を受けやすく、そのため、誘導加熱コイル４を始めとする、冷却を要する部品に効率よく冷却風を当てて冷却することが難しく、そのために過大な能力の冷却ファン７を使用する必要があったり、冷却風の流れを調節するために、様々な箇所に、冷却風の向きを変えるためのガイド部材が必要となってくる。その結果、構成の煩雑化やそれに伴う本体の大型化、過大な能力のファンの運転音による騒音の増大といった課題があった。
【０００４】
本発明は、このような従来の課題を解決するものであり、整然とした構成で本体内をコンパクト化でき、運転音の静かな誘導加熱調理器を提供することを目的としている。
【０００５】
【課題を解決するための手段】
本発明は上記課題を解決するために、本発明の誘導加熱調理器は、本体の吸気口から冷却ファンにより、下方に配設した電源回路を冷却するとともに、冷却ファンからの冷却風を取り入れる導入口と本体外へ排出する排気口へ導くための導出口を有する略扁平箱形状のダクトを配設し、前記ダクトの上面に開口部を形成して、コイルケースと誘導加熱コイルを嵌着して前記開口部を略閉塞したものである。
【０００６】
これにより、冷却風を安定して効率よく誘導加熱コイルに送ることができ、煩雑な構成にすることなく、内部のコンパクト化及び、冷却ファンの小型化による低騒音化を図ることができる。
【０００７】
【発明の実施の形態】
請求項１に記載の発明は、本体と、前記本体の上方に配設された被加熱調理器具を載置する天板と、前記天板の下方に設けられた少なくとも１つ以上の誘導加熱コイルと、前記誘導加熱コイルに高周波電力を供給する電源回路と、前記誘導加熱コイル及び前記電源回路等を冷却する冷却ファンと、冷却ファンからの冷却風を取り入れる導入口と本体外へ排出する排気口へ導くための導出口を有する略扁平箱形状のダクトを備え、前記ダクトの上面に開口部を形成して、コイルケースと誘導加熱コイルを嵌着して前記開口部を略閉塞したものである。そして、誘導加熱コイルをダクトの構成の一部とすることにより、冷却風の流れが他の部品の配置や形状に影響されることなく安定し、効率良く冷却できるため、全体構造の簡素化ができ、また、冷却ファンも小型化・低回転化により、運転音を抑えるため低騒音化が図れる。
【０００８】
請求項２に記載の発明は、ダクトの冷却風の導入口に専用の送風手段を配設することにより、誘導加熱コイル及び、冷却ファンや冷却風の通路をユニット化でき、そのユニット状態で性能の確保ができ、他の機種への搭載が容易であり、汎用性が高まる。
【０００９】
請求項３に記載の発明は、誘導加熱コイルを保持するコイルケースで、ダクトの上面の一部を形成することにより、部品点数を削減でき、低コスト化及び組立工数の低減を図ることができる。
【００１０】
請求項４に記載の発明は、ダクトの冷却風の導入口から導出口に至る経路の途中に中間開口部を形成して冷却風を分岐して、冷却風を電源回路等の要冷却部分に送風することにより、冷却の効率化によって余剰となった冷却風を他の部品の冷却に利用できる。
【００１１】
請求項５に記載の発明は、ダクト内に、冷却ファンからの送風を、動作している誘導加熱コイル側へ優先的に誘導する可動式の風向板を設けることにより、冷却風を無駄なく利用できるため、誘導加熱コイルの動作状態に応じて冷却ファンの回転数を落とすことも可能で、更に低騒音化が図れる。
【００１２】
【実施例】
（実施例１)
以下、本発明の実施例について図面を参照しながら説明する。図１は本発明の第１の実施例を示す誘導加熱調理器の概略構成を示す要部分解斜視図である。２１は本体で、本体２１の上面には、被加熱調理器具を載置する天板２２が配設されている。２３は誘導加熱コイル、２４は誘導加熱コイル２３を収納し、本体２１内の所定の位置に保持するためのコイルケースである。２５は誘導加熱コイル２３に高周波電力を供給する電源部分となる電源回路である。
【００１３】
２６は誘導加熱コイル２３及び電源回路２５を冷却するための冷却ファンで、本体２１後面の吸気口２７から取り入れた空気を取り込んで冷却風として誘導加熱コイル２３及び電源回路２５に供給する。そして冷却後の風は本体２１後面の排気口２８を通って本体２１外に排出される。
【００１４】
２９は、操作により前記誘導加熱コイル２３への電力の断続などの、機器の運転を制御するための制御回路を内部に収納する操作部である。
【００１５】
３０は、冷却ファン２６からの冷却風を取り入れる導入口３１及び、排気口２８へ導くための導出口３２を有する略扁平箱形状のダクトで、その上面には開口部３３が形成されており、誘導加熱コイル２３及びコイルケース２４を嵌着することにより、この開口部３３は略閉塞される。
【００１６】
即ち、誘導加熱コイル２３及びコイルケース２４はダクト３０の構成の一部となり、誘導加熱コイル２３の、冷却すべき面がダクト３０の内壁の一部を構成する。
【００１７】
この構成において、誘導加熱コイル２３に電源回路２５により高周波電力を供給し、天板２２に載置した被加熱調理器具を加熱するのに合わせて冷却ファン２６に通電すると、吸気口２７から取り入れられた空気は冷却ファン２６により、その一部がダクト３０の導入口３１から送り込まれる。
【００１８】
導入口３１に送り込まれた空気は、ダクト３０本体内を通過し、その内壁の一部を構成する誘導加熱コイル２３の表面に接触して熱を奪いながら通過する。そして、導出口３２を通過し、排気口２８を介して本体２１外に排出される。
【００１９】
ここでダクト３０内の冷却風の流れは本体２１内の部品の配置や形状等の影響が殆どないため、当然誘導加熱コイル２３の冷却も安定しており、冷却ファン２６からの送風の効率的な利用ができるのである。
【００２０】
本実施例では誘導加熱コイル２３が２つの場合であるが、１つの場合でもあるいは３つ以上の場合でも同様の効果を奏する。
【００２１】
（実施例２)
図２は本発明の実施例２を示す誘導加熱調理器の概略構成を示す要部分解斜視図である。ここで、全体の構成は実施例１と同じであるので説明は省略する。４１は第２の冷却ファンで、ダクト３０の導入口３１に取り付けられ専用の冷却手段となっている。
【００２２】
この構成により、誘導加熱コイル２３及び、冷却ファン４１や、冷却風の通路であるダクト３０等をユニット化することで、そのユニット状態で性能の確保ができ、他の機種への搭載が容易となり、汎用性が高まる。誘導加熱コイル２３の数が２つに限定されないのは実施例１と同様である。
【００２３】
（実施例３)
図３は本発明の実施例３を示す誘導加熱調理器の概略構成を示す分解斜視図である。ここで全体の構成は実施例１と略同一であるので説明は省略する。ダクト５１の本体部５２の上面は開口部５３が形成されており、一方、コイルケース５４の、誘導加熱コイル２３収納部５５の周囲５６は略鍔状に外方に伸張して、ダクト５１の開口部５３と嵌合する形状に形成されている。
【００２４】
この構成、即ち、コイルケース５４で、ダクト５１の上面の一部を形成することにより、部品点数を削減でき、低コスト化及び組立工数の低減を図ることができる。誘導加熱コイル２３の数が２つに限定されないのは実施例１と同様である。
【００２５】
（実施例４)
図４は本発明の実施例４を示す誘導加熱調理器の概略構成を示す要部分解斜視図である。ここで、全体の構成は実施例１と略同じであり、相違部分のみ説明する。ダクト６１の導入口６２から導出口６３に至る経路の途中に中間開口部６４を形成してある。
【００２６】
冷却ファン２６を運転し、冷却風はダクト６１内を移動する際、中間開口部６４において分岐され、ダクト６１外に送られる。中間開口部６４の出口の向きは電源回路２５に向けられており、中間開口部６４より出た冷却風は電源回路２５に供給されて、これを冷却する。
【００２７】
この構成により、冷却風を電源回路２５等の要冷却部分に送風することにより冷却の効率化によって余剰となった冷却風を他の部品の冷却に利用できるのである。誘導加熱コイル２３の数が２つに限定されないのは実施例１と同様である。
【００２８】
（実施例５)
図５〜図７は本発明の実施例５を示す誘導加熱調理器の概略構成を示す要部分解斜視図である。構成は前述の実施例と略同じであり、相違部分のみ説明する。図５において、ダクト７１の内部には、ダクト７１の内部を２つの部屋に仕切る隔壁７２が形成されている。
【００２９】
７３は、隔壁７２に近接して配設された可動式の風向板で、軸７４に対して回転自在に取り付けられている。
【００３０】
隔壁７２及び風向板７３により、ダクト７１内部は、第１の部屋７５ａと第２の部屋７５ｂに分割され、これらの部屋は、導入口７６及び導出口７７で連通する以外は略独立した状態になっている。
【００３１】
第１の部屋７５ａと第２の部屋７５ｂは各々その上部が、第１の誘導加熱コイル２３ａ、第２の誘導加熱コイル２３ｂと嵌合する。
【００３２】
ここで図５は第１の誘導加熱コイル２３ａ、第２の誘導加熱コイル２３ｂの、いずれも使用しない時、又は両方使用するときの状態を示すもので、この状態においては、風向板７３は中立位置にあり、第１の部屋７５ａと第２の部屋７５ｂはどちらも導入口７６及び導出口７７に連通し、冷却風の経路を形成している。
【００３３】
この構成において、第１の誘導加熱コイル２３ａ、第２の誘導加熱コイル２３ｂに、電源回路２５により高周波電力を供給し、天板２２に載置した被加熱調理器具を加熱するのに合わせて冷却ファン２６に通電すると、吸気口２７から取り入れられた空気は冷却ファン２６により、その一部がダクト７１の導入口７６に送り込まれる。
【００３４】
この際、冷却風は、導入口７７により分流され、第１の部屋７５ａと第２の部屋７５ｂ両方の部屋を通過して、ダクト７１の内壁の一部を構成する第１の誘導加熱コイル２３ａ及び第２の誘導加熱コイル２３ｂを冷却した後、導出口７７に送り込まれて、導出口で合流して排気口を介して本体外に排出されるのである。
【００３５】
第１の誘導加熱コイル２３ａのみ使用の時は、図６に示すように風向板７３は、第２の部屋７５ｂへの入り口を略閉塞する位置に姿勢変化し、冷却風は第１の部屋７５ａの方に優先的に送り込まれる。
【００３６】
従って、この状態においては、冷却ファン２６の通常の能力以下で第１の誘導加熱コイル２３ａを冷却することが出来るため、冷却ファン２６の回転数を下げることができ、その結果、冷却ファン２６の回転音が低減でき、器体の低騒音化を図ることができる。
【００３７】
一方、第２の誘導加熱コイル２３ｂのみ使用の時は、図７に示すように風向板７３は、第１の部屋７５ａへの入り口を略閉塞する位置に姿勢変化し、冷却風は第２の部屋７５ａの方に優先的に送り込まれる。
【００３８】
その結果、冷却ファン２６の回転音が低減できるのは、図６の場合と同様である。
【００３９】
【発明の効果】
以上のように、本発明によれば、冷却ファンからの冷却風を取り入れる導入口と本体外へ排出する排気口へ導くための導出口を有する略扁平箱形状のダクトを配設し、ダクトの上面の開口部に、誘導加熱コイルを嵌着して開口部を略閉塞することにより、即ち誘導加熱コイルをダクト構成の一部とすることにより、冷却風の流れが他の部品の配置や形状に影響されることなく安定し、効率良く冷却できるため、全体構造の簡素化ができ、また、冷却ファンも小型化・低回転数化により、運転音を抑えて低騒音になる。
【００４０】
また、ダクトの導入口に専用の送風手段を配設することにより、誘導加熱コイル及び、冷却ファンや冷却風の通路がユニット化でき、そのユニット状態で性能の確保ができ、他の機種への搭載が容易となり、汎用性が高まる。
【００４１】
また、誘導加熱コイルを保持するコイルケースで、ダクトの上面の一部を形成することにより、部品点数を削減でき、低コスト化及び組立工数の低減を図ることができる。
【００４２】
また、ダクトの導入口から導出口に至る経路の途中に中間開口部を形成して冷却風を分岐して、冷却風を電源回路等の要冷却部分に送風して、冷却の効率化によって余剰となった冷却風を他の部品の冷却に利用できる。
【００４３】
さらには、ダクト内に、冷却ファンからの送風を、動作している誘導加熱コイル側へ優先的に誘導する可動式の風向板を配設することにより、冷却風を無駄なく利用できるため、誘導加熱コイルの動作状態に応じて冷却ファンの回転数をコントロールすることも可能で、さらに低騒音化が図れる。
【図面の簡単な説明】
【図１】本発明の実施例１の誘導加熱調理器の概略構成を示す要部分解斜視図
【図２】本発明の実施例２の誘導加熱調理器の概略構成を示す要部分解斜視図
【図３】本発明の実施例３の誘導加熱調理器の概略構成を示す要部分解斜視図
【図４】本発明の誘導加熱調理器の第４の実施例を示す分解斜視図
【図５】本発明の誘導加熱調理器の第５の実施例を示す分解斜視図
【図６】本発明の誘導加熱調理器の第５の実施例の動作を示す要部分解斜視図
【図７】同要部分解斜視図
【図８】従来の誘導加熱調理器の概略構成を示す分解斜視図
【符号の説明】
２１    本体
２２    天板
２３    誘導加熱コイル
２３ａ  第１の誘導加熱コイル
２３ｂ  第２の誘導加熱コイル
２４    コイルケース
２５    電源回路
２６    冷却ファン
２７    吸気口
２８    排気口
３０    ダクト
３１    （ダクトの）導入口
３２    （ダクトの）導出口
４１    第２の冷却ファン
５１    ダクト
５２    （ダクトの）本体部
５３    （ダクトの）開口部
５５    収納部
５６    収納部の鍔状の周囲部
６１    ダクト
６２    （ダクトの）導入口
６３    （ダクトの）導出口
６４    （ダクトの）中間開口部
７１    ダクト
７２    隔壁
７３    風向板
７５ａ  第１の部屋
７５ｂ  第２の部屋
７６    （ダクトの）導入口
７７    （ダクトの）導出口
【図１】
0004348865.tif 000002
【図２】
0004348865.tif 000003
【図３】
0004348865.tif 000004
【図４】
0004348865.tif 000005
【図５】
0004348865.tif 000006
【図６】
0004348865.tif 000007
【図７】
0004348865.tif 000008
【図８】
0004348865.tif 000009